(57)【要約】【課題】本発明は、施工性を向上しつつ、既存コンクリート壁の耐力を高めることを目的とする。【解決手段】耐震補強構造４０は、一対の既存柱２２と、一対の既存柱２２に架設された上側既存梁２４Ｕ及び下側既存梁２４Ｌと、を有する既存架構２０と、既存架構２０に設けられた既存コンクリート壁３０と、既存コンクリート壁３０の壁面３０Ｓと上側既存梁２４Ｕの下面２８Ｓとを連結する増打ち補強部４２と、を備える。【選択図】図３
2020059987.tif 000002
【特許請求の範囲】
【請求項１】
一対の既存柱と、一対の前記既存柱に架設された上側既存梁及び下側既存梁と、を有する既存架構と、
前記既存架構に設けられた既存コンクリート壁と、
前記既存コンクリート壁の壁面と、前記上側既存梁の下面又は前記下側既存梁の上面とを連結する連結部と、
を備える耐震補強構造。
【請求項２】
前記連結部は、前記既存コンクリート壁の前記壁面と、前記上側既存梁の前記下面又は前記下側既存梁の前記上面とに亘る増打ち補強部を有する、
請求項１に記載の耐震補強構造。
【請求項３】
前記連結部は、前記既存コンクリート壁の前記壁面と、前記上側既存梁の前記下面又は前記下側既存梁の前記上面とに亘る連結プレートを有する、
請求項１に記載の耐震補強構造。
【発明の詳細な説明】
【技術分野】
【０００１】
本発明は、耐震補強構造に関する。
【背景技術】
【０００２】
既存コンクリート壁を増打ち補強する耐震補強構造が知られている（例えば、特許文献１，２参照）。
【先行技術文献】
【特許文献】
【０００３】
【特許文献１】特開平８−４９３２９号公報
【特許文献２】特開２００５−２２０５９１号公報
【発明の概要】
【発明が解決しようとする課題】
【０００４】
しかしながら、上記の耐震補強構造では、既存コンクリート壁の大きさに応じて増打ち範囲が広くなるため、施工に手間がかかる可能性がある。
【０００５】
本発明は、上記の事実を考慮し、施工性を向上しつつ、既存コンクリート壁の耐力を高めることを目的とする。
【課題を解決するための手段】
【０００６】
請求項１に記載の耐震補強構造は、一対の既存柱と、一対の前記既存柱に架設された上側既存梁及び下側既存梁と、を有する既存架構と、前記既存架構に設けられた既存コンクリート壁と、前記既存コンクリート壁の壁面と、前記上側既存梁の下面又は前記下側既存梁の上面とを連結する連結部と、を備える。
【０００７】
請求項１に係る耐震補強構造によれば、既存架構は、一対の既存柱と、一対の既存柱に架設された上側既存梁及び下側既存梁とを有している。また、既存架構には、既存コンクリート壁が設けられている。この既存コンクリート壁の壁面と上側既存梁の下面、又は既存コンクリート壁の壁面と下側既存梁の上面とは、連結部によって連結される。
【０００８】
ここで、例えば、既存コンクリート壁と上側既存梁との接合耐力が低い場合、上側既存梁による既存コンクリート壁の拘束力が低くなり、地震時に既存コンクリート壁が耐力を十分に発揮することができない可能性がある。
【０００９】
これに対して本発明では、前述したように、既存コンクリート壁の壁面と上側既存梁の下面又は下側既存梁の上面とが連結部によって連結される。そのため、地震時には、連結部を介して、既存コンクリート壁と上側既存梁との間、又は既存コンクリート壁と下側既存梁との間で応力が伝達される。したがって、既存コンクリート壁と上側既存梁、又は既存コンクリート壁と下側既存梁との接合耐力が高められる。換言すると、上側既存梁又は下側既存梁による既存コンクリート壁の拘束力が高められる。
【００１０】
この結果、地震時に、既存コンクリート壁が耐力を十分に発揮可能になるため、既存コンクリート壁の耐力が高められる。つまり、本発明では、既存コンクリート壁と上側既存梁又は下側既存梁との接合耐力を高めることにより、既存コンクリート壁の耐力を高く評価することができる。
【００１１】
また、本発明では、既存コンクリート壁の全面を増打ち補強する場合と比較して、補強範囲を狭くすることができる。したがって、施工性が向上する。さらに、本発明では、既存コンクリート壁の壁厚が増大しないため、耐震補強完了時の室内への影響を小さくすることができる。
【００１２】
このように本発明では、施工性を向上し、かつ、室内への影響を小さくしつつ、既存コンクリート壁の耐力を高めることができる。
【００１３】
請求項２に記載の耐震補強構造は、請求項１に記載の耐震補強構造において、前記連結部は、前記既存コンクリート壁の前記壁面と、前記上側既存梁の前記下面又は前記下側既存梁の前記上面とに亘る増打ち補強部を有する。
【００１４】
請求項２に係る耐震補強構造によれば、連結部は、既存コンクリート壁の壁面と上側既存梁の下面、又は既存コンクリート壁の壁面と下側既存梁の上面とに亘る増打ち補強部（増打ちコンクリート補強部）を有している。
【００１５】
これにより、地震時には、増打ち補強部を介して、既存コンクリート壁と上側既存梁との間、又は既存コンクリート壁と下側既存梁との間で応力が伝達される。したがって、既存コンクリート壁と上側既存梁、又は既存コンクリート壁と下側既存梁との接合耐力が高められる。換言すると、上側既存梁又は下側既存梁による既存コンクリート壁の拘束力が高められる。したがって、既存コンクリート壁の耐力を高めることができる。
【００１６】
請求項３に記載の耐震補強構造は、請求項１に記載の耐震補強構造において、前記連結部は、前記既存コンクリート壁の前記壁面と、前記上側既存梁の前記下面又は前記下側既存梁の前記上面とに亘る連結プレートを有する。
【００１７】
請求項３に係る耐震補強構造によれば、連結部は、既存コンクリート壁の壁面と上側既存梁の下面、又は既存コンクリート壁の壁面と下側既存梁の上面とに亘る連結プレートを有している。
【００１８】
これにより、地震時には、連結プレートを介して、既存コンクリート壁と上側既存梁又は下側既存梁との間で応力が伝達される。これにより、既存コンクリート壁と上側既存梁又は下側既存梁との接合耐力が高められる。換言すると、上側既存梁又は下側既存梁による既存コンクリート壁の拘束力が高められる。したがって、既存コンクリート壁の耐力を高めることができる。
【発明の効果】
【００１９】
以上説明したように、本発明に係る耐震補強構造よれば、施工性を向上しつつ、既存コンクリート壁の耐力を高めることができる。
【図面の簡単な説明】
【００２０】
【図１】第一実施形態に係る既存構造物の外周部を外側から見た立面図である。
【図２】図１の２−２線断面図である。
【図３】第一実施形態に係る耐震補強構造が適用された既存架構を示す図２に対応する断面図である。
【図４】第二実施形態に係る耐震補強構造が適用された既存架構を示す図２に対応する断面図である。
【図５】（Ａ）は、上側既存梁の変形例を示す図２に対応する断面図であり、（Ｂ）は、耐震補強構造の変形例を示す図２に対応する断面図である。
【図６】（Ａ）は、上側既存梁の変形例を示す図２に対応する断面図であり、（Ｂ）は、耐震補強構造の変形例を示す図２に対応する断面図である。
【発明を実施するための形態】
【００２１】
（第一実施形態）
先ず、第一実施形態について説明する。
【００２２】
（既存構造物）
図１には、本実施形態に係る耐震補強構造４０が適用される前の既存構造物（既存建物）１０が示されている。既存構造物１０は、既存架構２０及び既存コンクリート壁３０を有している。
【００２３】
既存架構２０及び既存コンクリート壁３０は、既存構造物１０の外周部に配置されている。つまり、本実施形態の既存架構２０は、外周架構（外周既存架構）とされており、本実施形態の既存コンクリート壁３０は、外壁（既存コンクリート外壁）とされている。なお、既存コンクリート壁３０は、外壁に限らず、内壁であっても良い。
【００２４】
（既存架構）
既存架構２０は、一対の既存柱２２と、上側既存梁２４Ｕ及び下側既存梁２４Ｌとを有している。一対の既存柱２２は、鉄骨造、鉄筋コンクリート造、又は鉄骨鉄筋コンクリート造とされている。この一対の既存柱２２には、上側既存梁２４Ｕ及び下側既存梁２４Ｌが架設されている。上側既存梁２４Ｕと下側既存梁２４Ｌとは、上下方向に間隔を空けて配置されている。
【００２５】
なお、上側既存梁２４Ｕと下側既存梁２４Ｌとは、同様の構成とされている。したがって、以下では、上側既存梁２４Ｕの構成について説明し、下側既存梁２４Ｌの構成の説明は適宜省略する。
【００２６】
図２に示されるように、上側既存梁２４Ｕは、鉄骨造とされている。より具体的には、上側既存梁２４Ｕは、Ｈ形鋼によって形成されている。この上側既存梁２４Ｕは、上下方向に互いに対向する一対の上フランジ部２６及び下フランジ部２８と、上フランジ部２６と下フランジ部２８とを接続するウェブ部２９とを有している。
【００２７】
上側既存梁２４Ｕの上には、既存スラブ１２が設けられている。既存スラブ１２は、上側既存梁２４Ｕの上フランジ部２６の上面に設けられたスタッド１４を介して上側既存梁２４Ｕと接合されている。この上側既存梁２４Ｕには、既存コンクリート壁３０が接合されている。
【００２８】
なお、上側既存梁２４Ｕは、Ｈ形鋼に限らず、Ｉ形鋼やＣ形鋼であっても良い。
【００２９】
（既存コンクリート壁）
既存コンクリート壁３０は、例えば、耐力壁や耐震壁、雑壁とされる。この既存コンクリート壁３０は、鉄筋コンクリート造とされており、内部に複数の壁筋３２が埋設されている。また、既存コンクリート壁３０は、上側既存梁２４Ｕ及び下側既存梁２４Ｌの外側に配置されており、上側既存梁２４Ｕ及び下側既存梁２４Ｌの側面にそれぞれ接合されている。
【００３０】
なお、既存コンクリート壁３０の上部と上側既存梁２４Ｕの接合構造と、既存コンクリート壁３０の下部と下側既存梁２４Ｌの接合構造は、同様の構成とされている。そのため、以下では、既存コンクリート壁３０の上部と上側既存梁２４Ｕの接合構造について説明し、既存コンクリート壁３０の下部と下側既存梁２４Ｌの接合構造については説明を省略する。
【００３１】
既存コンクリート壁３０の上部は、コンクリート接合部３４を介して上側既存梁２４Ｕの側面に接合されている。コンクリート接合部３４は、上側既存梁２４Ｕの全長に亘って設けられている。また、コンクリート接合部３４は、既存コンクリート壁３０の上部と上側既存梁２４Ｕのウェブ部２９とに亘って設けられている。このコンクリート接合部３４は、鉄筋コンクリート造とされており、その内部に複数の接続筋３６が埋設されている。
【００３２】
接続筋３６は、Ｃ字形状に屈曲されており、既存コンクリート壁３０の上部と上側既存梁２４Ｕとの間に配置されている。また、複数の接続筋３６は、上側既存梁２４Ｕの材軸方向に間隔を空けて複数配置されている。各接続筋３６の一端側は、上側既存梁２４Ｕに溶接等によって接合されている。また、各接続筋３６の他端側は、既存コンクリート壁３０の上部に埋設されている。このように複数の接続筋３６が埋設されたコンクリート接合部３４によって、上側既存梁２４Ｕと既存コンクリート壁３０とが接合されている。
【００３３】
なお、コンクリート接合部３４の配筋は、適宜変更可能である。また、図示を省略するが、既存コンクリート壁３０の左右の端部は、一対の既存柱２２にそれぞれ接合されている。
【００３４】
（耐震補強構造）
図３には、本実施形態に係る耐震補強構造４０が適用された既存架構２０が示されている。耐震補強構造４０は、上側既存梁２４Ｕの下面２８Ｓと既存コンクリート壁３０の上部の壁面３０Ｓとを連結する増打ち補強部４２と、下側既存梁２４Ｌの上面（既存スラブ１２の上面）と既存コンクリート壁３０の下部の壁面とを連結する図示しない増打ち補強部とを有している。
【００３５】
なお、上側既存梁２４Ｕに設けられた増打ち補強部４２と、下側既存梁２４Ｌに設けられた増打ち補強部とは、同様の構成とされている。そのため、以下では、上側既存梁２４Ｕに設けられた増打ち補強部４２について説明し、下側既存梁２４Ｌに設けられた増打ち補強部の説明は適宜省略する。また、増打ち補強部４２は、連結部の一例である。
【００３６】
上側既存梁２４Ｕの下側に設けられた増打ち補強部（増打ちコンクリート補強部）４２は、コンクリート（後打ちコンクリート）によって断面矩形状に形成されている。増打ち補強部４２は、上側既存梁２４Ｕの下面２８Ｓと既存コンクリート壁３０の上部の壁面３０Ｓとに亘って配置されている。より具体的には、増打ち補強部４２は、上側既存梁２４Ｕの下面２８Ｓと既存コンクリート壁３０の上部の壁面３０Ｓとが成す隅部に沿って配置されている。
【００３７】
増打ち補強部４２は、上側既存梁２４Ｕの全長に亘って設けられており、その両端部が一対の既存柱２２に接続されている。この増打ち補強部４２によって、上側既存梁２４Ｕの下面２８Ｓと既存コンクリート壁３０の上部の壁面３０Ｓとが連結されている。
【００３８】
上側既存梁２４Ｕの下フランジ部２８の下面２８Ｓには、複数のスタッド４４が溶接等によって接合されている。複数のスタッド４４は、増打ち補強部４２に埋設されている。これらのスタッド４４を介して上側既存梁２４Ｕと増打ち補強部４２とが接合されている。
【００３９】
なお、スタッド４４に替えて、異形鉄筋等を用いても良い。また、スタッド４４は、接続部材の一例である。
【００４０】
既存コンクリート壁３０の上部の壁面３０Ｓには、複数の接続筋４６が埋設されている。複数の接続筋４６の一端側は、図示しないケミカルアンカー等のアンカー部材を介して既存コンクリート壁３０に固定されている。また、複数の接続筋４６の他端側は、増打ち補強部４２に埋設されている。これらの接続筋４６を介して、既存コンクリート壁３０と増打ち補強部４２とが接続されている。
【００４１】
増打ち補強部４２には、複数のスパイラル筋（割裂補強筋）４８が埋設されている。スパイラル筋４８は、螺旋状に巻かれた鉄筋等によって形成されている。各スパイラル筋４８は、軸方向を上側既存梁２４Ｕの材軸方向として配置されている。また、各スパイラル筋４８は、上側既存梁２４Ｕを材軸方向から見て、前述したスタッド４４又は接続筋４６と重なるように増打ち補強部４２に埋設されている。これらのスパイラル筋４８によって、増打ち補強部４２が補強されている。
【００４２】
なお、増打ち補強部４２には、スパイラル筋４８に替えて、他の補強筋を埋設しても良い。また、スパイラル筋４８は、補強筋に一例である。さらに、スパイラル筋４８は、適宜省略可能である。
【００４３】
（作用）
次に、第一実施形態の作用について説明する。
【００４４】
図１に示されるように、本実施形態に係る耐震補強構造によれば、既存架構２０は、一対の既存柱２２と、一対の既存柱２２に架設された上側既存梁２４Ｕ及び下側既存梁２４Ｌとを有している。また、既存架構２０には、既存コンクリート壁３０が設けられている。この既存コンクリート壁３０の上部の壁面３０Ｓと上側既存梁２４Ｕの下面２８Ｓとは、図３に示されるように、増打ち補強部４２によって連結されている。また、既存コンクリート壁３０の下部の壁面と下側既存梁２４Ｌの上面とは、図示しない増打ち補強部によって連結されている。
【００４５】
ここで、例えば、既存コンクリート壁３０と上側既存梁２４Ｕとの接合耐力が低いと、上側既存梁２４Ｕによる既存コンクリート壁３０の拘束力が低くなるため、地震時に既存コンクリート壁３０が耐力を十分に発揮することができない可能性がある。
【００４６】
これに対して本実施形態では、既存コンクリート壁３０の上部の壁面３０Ｓと上側既存梁２４Ｕの下面２８Ｓは、増打ち補強部４２によって連結されている。そのため、地震時には、増打ち補強部４２を介して既存コンクリート壁３０と上側既存梁２４Ｕとの間で応力が伝達される。したがって、既存コンクリート壁３０と上側既存梁２４Ｕとの接合耐力が高められる。換言すると、上側既存梁２４Ｕによる既存コンクリート壁３０の拘束力が高められる。
【００４７】
これと同様に、既存コンクリート壁３０の下部の壁面３０Ｓと下側既存梁２４Ｌの下面は、増打ち補強部によって連結されている。この増打ち補強部によって、既存コンクリート壁３０と下側既存梁２４Ｌとの接合耐力が高められる。
【００４８】
この結果、地震時に、既存コンクリート壁３０が耐力を十分に発揮可能になるため、既存コンクリート壁３０の耐力が高められる。換言すると、本実施形態では、既存コンクリート壁３０と上側既存梁２４Ｕ及び下側既存梁２４Ｌとの接合耐力を高めることにより、既存コンクリート壁３０の耐力を高く評価することができる。
【００４９】
このように本実施形態では、既存コンクリート壁３０を増打ち補強せずに、既存コンクリート壁３０の耐力を高めることができる。また、本実施形態では、既存コンクリート壁３０の全面を増し打ちする場合と比較して、補強範囲を狭くすることができる。したがって、施工性が向上する。
【００５０】
さらに、既存コンクリート壁３０の全面を増し打ちする場合は、既存コンクリート壁３０の壁厚が厚くなるため、室内空間が狭くなる可能性がある。これに対して本実施形態では、既存コンクリート壁３０の壁厚を厚くせずに、すなわち室内空間を狭くせずに、既存コンクリート壁の耐力を高めることができる。
【００５１】
このように本実施形態では、施工性を向上し、かつ、室内空間を狭くせずに、既存コンクリート壁３０の耐力を高めることができる。
【００５２】
また、増打ち補強部４２は、上側既存梁２４Ｕ又は下側既存梁２４Ｌの全長に亘って設けられている。これにより、既存コンクリート壁３０と上側既存梁２４Ｕ及び下側既存梁２４Ｌとの接合耐力が高められる。しかも、増打ち補強部４２は、一対の既存柱２２に接続されている。これにより、既存コンクリート壁３０と上側既存梁２４Ｕ及び下側既存梁２４Ｌとの接合耐力がさらに高められる。したがって、既存コンクリート壁３０の耐力がさらに高められる。
【００５３】
また、増打ち補強部４２には、複数のスパイラル筋４８が埋設されている。これらのスパイラル筋４８によって増打ち補強部４２を補強することにより、増打ち補強部４２の破損等が抑制される。
【００５４】
なお、本実施形態では、上側既存梁２４Ｕ及び下側既存梁２４Ｌの全長に亘って増打ち補強部４２が設けられるが、増打ち補強部は、上側既存梁２４Ｕ及び下側既存梁２４Ｌに部分的に設けることも可能である。また、増打ち補強部４２の形状や配置は、適宜変更可能である。
【００５５】
（第二実施形態）
次に、第二実施形態について説明する。なお、第二実施形態において、第一実施形態と同じ構成の部材等には、同符号を付して説明を適宜省略する。
【００５６】
図４には、第二実施形態に係る耐震補強構造５０が適用された既存架構２０が示されている。耐震補強構造５０は、既存コンクリート壁３０の上部の壁面３０Ｓと上側既存梁２４Ｕの下面２８Ｓとを連結する連結プレート５２と、既存コンクリート壁３０の下部の壁面と下側既存梁２４Ｌの上面とを連結する連結プレート５２とを有している。
【００５７】
なお、上側既存梁２４Ｕに設けられた連結プレート５２と、下側既存梁２４Ｌに設けられた連結プレートとは、同様の構成とされている。そのため、以下では、上側既存梁２４Ｕに設けられた連結プレート５２について説明し、下側既存梁２４Ｌに設けられた連結プレートの説明は適宜省略する。また、連結プレート５２は、連結部の一例である。
【００５８】
上側既存梁２４Ｕに設けられた連結プレート５２は、Ｌ字形状に屈曲された鋼板等の金属板によって形成されている。この連結プレート５２は、上側既存梁２４Ｕの下面２８Ｓと既存コンクリート壁３０の上部の壁面３０Ｓとに亘って配置されている。より具体的には、連結プレート５２は、上側既存梁２４Ｕの下面２８Ｓと既存コンクリート壁３０の上部の壁面３０Ｓとが成す隅部に沿って配置されている。この連結プレート５２によって、上側既存梁２４Ｕの下面２８Ｓと既存コンクリート壁３０の上部の壁面３０Ｓとが連結されている。
【００５９】
具体的には、連結プレート５２の一端側は、上側既存梁２４Ｕの下フランジ部２８の下面２８Ｓに重ねられた状態で溶接等によって接合されている。なお、連結プレート５２の一端側は、溶接に限らず、ボルト等によって上側既存梁２４Ｕの下フランジ部２８に接合しても良い。
【００６０】
連結プレート５２の他端側は、既存コンクリート壁３０の上部の壁面３０Ｓに重ねられている。この連結プレート５２の他端側には、既存コンクリート壁３０の上部の壁面３０Ｓから突出するケミカルアンカー等の後施工アンカー５４に、ナット５６で接合されている。この連結プレート５２を介して、既存コンクリート壁３０と上側既存梁２４Ｕとが連結されている。
【００６１】
（作用）
次に、第二実施形態の作用について説明する。
【００６２】
図４に示されるように、本実施形態に係る耐震補強構造５０によれば、既存コンクリート壁３０の上部の壁面３０Ｓと上側既存梁２４Ｕの下面２８Ｓとは、連結プレート５２を介して連結されている。これと同様に、既存コンクリート壁３０の下部の壁面３０Ｓと下側既存梁２４Ｌの上面とは、図示しない連結プレートを介して連結されている。
【００６３】
これにより、地震時には、連結プレート５２を介して、既存コンクリート壁３０と上側既存梁２４Ｕ及び下側既存梁２４Ｌとの間で応力が伝達される。したがって、既存コンクリート壁３０と上側既存梁２４Ｕ及び下側既存梁２４Ｌとの接合耐力が高められる。つまり、上側既存梁２４Ｕ及び下側既存梁２４Ｌによる既存コンクリート壁３０の拘束力が高められる。
【００６４】
これにより、地震時に、既存コンクリート壁３０が耐力を十分に発揮可能になるため、既存コンクリート壁３０の耐力が高められる。つまり、本実施形態では、既存コンクリート壁３０と上側既存梁２４Ｕ及び下側既存梁２４Ｌとの接合耐力を高めることにより、既存コンクリート壁３０の耐力を高く評価することができる。したがって、本実施形態は、上記第一実施形態と同様の効果を得ることができる。
【００６５】
また、本実施形態では、既存コンクリート壁３０を増打ち補強する場合と比較して、型枠の仮設及び撤去等が不要となる。したがって、施工性が向上する。
【００６６】
（変形例）
次に、上記第一実施形態及び第二実施形態の変形例について説明する。
【００６７】
上記第一実施形態及び第二実施形態では、上側既存梁２４Ｕ及び下側既存梁２４Ｌの外側に既存コンクリート壁３０が配置されるが、上記第一実施形態はこれに限らない。例えば、図５（Ａ）に示されるように、既存コンクリート壁３０は、上側既存梁２４Ｕと下側既存梁２４Ｌとの間に配置されても良い。
【００６８】
具体的には、図５（Ａ）には、Ｓ造の上側既存梁２４Ｕが示されている。この上側既存梁２４Ｕの下フランジ部２８の下側には、既存コンクリート壁３０が配置されている。また、上側既存梁２４Ｕの下フランジ部２８には、スタッド１６が溶接等によって接合されており、このスタッド１６を介して上側既存梁２４Ｕと既存コンクリート壁３０とが接合されている。
【００６９】
ここで、図５（Ｂ）に示される変形例では、増打ち梁部６０によって上側既存梁２４Ｕを補強した上で、上側既存梁２４Ｕと既存コンクリート壁３０とを連結プレート６６によって連結している。なお、増打ち梁部６０は、既存梁の一例である。
【００７０】
具体的には、上側既存梁２４Ｕは、増打ち梁部（増打ちコンクリート梁部）６０に埋設されている。増打ち梁部６０は、コンクリート（後打ちコンクリート）によって断面矩形状に形成されている。この増打ち梁部６０には、既存スラブ１２と増打ち梁部６０とを接合する接続筋６２が埋設されている。また、増打ち梁部６０には、補強筋６４が適宜埋設されている。この増打ち梁部６０の下面６０Ｓと既存コンクリート壁３０の上部の壁面３０Ｓとは、連結プレート６６によって連結されている。
【００７１】
連結プレート６６は、既存コンクリート壁３０の両側で、かつ、増打ち梁部６０の下側にそれぞれ設けられている。各連結プレート６６は、Ｌ字形状に屈曲された鋼板等によって形成されており、増打ち梁部６０の下面６０Ｓと既存コンクリート壁３０の上部の壁面３０Ｓとに亘って配置されている。
【００７２】
連結プレート６６の一端側は、増打ち梁部６０の下面６０Ｓから突出するケミカルアンカー等の後施工アンカー６８にナット７０で接合されている。また、連結プレート６６の他端側は、既存コンクリート壁３０の上部の壁面３０Ｓから突出する後施工アンカー７２にナット７４で接合されている。この連結プレート６６によって上側既存梁２４Ｕと既存コンクリート壁３０との接合耐力が高められる。したがって、既存コンクリート壁３０の耐力が高められる。
【００７３】
このように連結プレート６６によって、上側既存梁２４Ｕを補強する増打ち梁部６０の下面６０Ｓと既存コンクリート壁３０の上部の壁面３０Ｓとを連結することも可能である      
【００７４】
次に、上記第一実施形態及び第二実施形態では、上側既存梁２４Ｕが鉄骨造とされるが、上記第一実施形態及び第二実施形態はこれに限らない。例えば、図６（Ａ）に示されるように、上側既存梁８０は、鉄筋コンクリート造であっても良い。
【００７５】
具体的には、上側既存梁８０は、鉄筋コンクリート造とされている。また、上側既存梁８０は、断面矩形状に形成されている。この上側既存梁８０の幅は、既存コンクリート壁３０の壁厚よりも広くされており、図示しない接続筋によって既存コンクリート壁３０と接合されている。この上側既存梁８０の上側の角部には、上端梁主筋８２がそれぞれ埋設されている。また、上側既存梁８０の下側の角部には、下端梁主筋８４がそれぞれ埋設されている。さらに、上側既存梁８０には、上端梁主筋８２及び下端梁主筋８４を囲むせん断補強筋８６が埋設されている。
【００７６】
ここで、図６（Ｂ）に示される変形例では、上側既存梁８０の下面８０Ｓと既存コンクリート壁３０の上部の壁面３０Ｓとが増打ち補強部９０によって連結されている。具体的には、増打ち補強部９０は、既存コンクリート壁３０の上部の両側で、かつ、上側既存梁８０の下側にそれぞれ設けられている。各増打ち補強部９０は、コンクリートによって断面矩形状に形成されている。また、各増打ち補強部９０は、上側既存梁８０の下面８０Ｓと既存コンクリート壁３０の上部の壁面３０Ｓとに亘って配置されている。
【００７７】
増打ち補強部９０は、後施工アンカー９２を介して上側既存梁８０の下面８０Ｓに接合されるとともに、後施工アンカー９４を介して既存コンクリート壁３０の壁面３０Ｓに接合されている。これらの増打ち補強部９０によって、上側既存梁８０の下面８０Ｓと既存コンクリート壁３０の上部の壁面３０Ｓとが連結されている。また、各増打ち補強部９０には、スパイラル筋９６が埋設されている。
【００７８】
このように構成された増打ち補強部９０によって、上側既存梁８０と既存コンクリート壁３０との接合耐力が高められる。したがって、既存コンクリート壁３０の耐力が高められる。なお、
【００７９】
また、上記第一実施形態では、増打ち補強部９０が上側既存梁２４Ｕ及び下側既存梁２４Ｌに設けられるが、上記第一実施形態はこれに限らない。増打ち補強部は、上側既存梁８０及び下側既存梁２４Ｌの少なくとも一方に設けることができる。これと同様に、上記第二実施形態に係る連結プレート５２は、上側既存梁８０及び下側既存梁２４Ｌの少なくとも一方に設けることができる。
【００８０】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００８１】
２０    既存架構
２２    既存柱
２４Ｕ  上側既存梁
２４Ｌ  下側既存梁
２８Ｓ  下面（上側既存梁の下面）
３０    既存コンクリート壁
３０Ｓ  壁面
４０    耐震補強構造
４０    既存架構
４２    増打ち補強部
５０    耐震補強構造
５２    連結プレート
６０    増打ち梁部（上側既存梁）
６０Ｓ  下面（上側既存梁の下面）
６６    連結プレート
８０    上側既存梁
８０Ｓ  下面（上側既存梁の下面）
９０    増打ち補強部
【図１】
2020059987.tif 000003
【図２】
2020059987.tif 000004
【図３】
2020059987.tif 000005
【図４】
2020059987.tif 000006
【図５】
2020059987.tif 000007
【図６】
2020059987.tif 000008